(57)【要約】【課題】  網材を取り付けるための取り付け部が、巻き取り軸に存在することで、巻き取り軸の横断面における重心と、巻き取り軸の軸心が一致しないことによって、網材の巻き取り時および巻き出し時における巻き取り軸が回転する場合に発生する、巻き取り軸がずれた重心方向に振れるという問題を解消することによって、巻き取り軸の振動およびそれに伴う収納枠との接触によるバタツキ音の解消を可能とする横引き網戸を提供する。【解決手段】  少なくとも上枠２０ａ、下枠２０ｂ、及び収納枠６０を備えた枠組みと、上下両端が上枠及び下枠内に配置されたガイド２２ａ、２２ｂに沿って左右に移動可能に構成された縦框４０と、収納枠内に回転自在に設けられた巻き取り軸６２と、横方向一端側が前記縦框に取り付けられるとともに他端側が巻き取り軸の取り付け部に固定された網材５０と、を備え、網材は、弾性部材６３により巻き取り軸に巻き取られるように構成された横引き網戸１００において、巻き取り軸において取り付け部に対応するカウンターバランス部６８を設ける。【選択図】      図１
2005213911.tif 000002
【特許請求の範囲】
【請求項１】
少なくとも、上枠、下枠、及び収納枠を備えた枠組みと、上下両端が前記上枠及び下枠内に配置されたガイドに沿って左右に移動可能に構成された縦框と、前記収納枠内に回転自在に設けられた巻き取り軸と、横方向一端側が前記縦框に取り付けられるとともに他端側が前記巻き取り軸の取り付け部に固定された網材と、を備え、前記網材は、弾性部材により前記巻き取り軸に巻き取られるように構成された横引き網戸であって、前記巻き取り軸は、前記取り付け部に対応するカウンターバランス部を備えることを特徴とする横引き網戸。
【発明の詳細な説明】
【技術分野】
【０００１】
本発明は、勝手口、窓等のサッシ枠に取り付けることができる、左右に開閉自在な横引き網戸に関する。特に、網戸の開閉を円滑に行うことができる横引き網戸に関する。
【背景技術】
【０００２】
横引き網戸は、網戸が設置されていない勝手口や、窓等の建物開口部に後付けすることができるものであり、網戸用の特別なレールが無くても、室内側から両面テープ等によりサッシに貼り付けることにより設置可能な網戸である。このような設置作業の容易性から、最近、横引き網戸の需要は大きくなっている。
【０００３】
かかる横引き網戸として、特許文献１には、図８（ａ）及び（ｂ）に示されるように、長手方向に垂直な断面において横方向に互いに反対側に突出した二つのガイド部１４を備えた上レール、下レールのそれぞれを形成する上框部材１１、下框部材１２およびこの上框部材１１、下框部材１２の両端部に固定した２本の縦框部材１３からなる枠体１と、２本の縦框部材１３の内の一方の縦框部材１３に縦方向の一方の縁部を固定したネット２と、このネット２をばね力により巻き取る巻き取り手段３１を内蔵するとともに、上端面、下端面のそれぞれに回転可能に支持した複数のガイドローラ３２を備え、このガイドローラ３２を、各ガイド部１４の各々に、常時、長手方向の複数の位置で、横方向から、かつ反対側から当接させ、上框部材１１、下框部材１２に沿って横方向に移動可能なネット収納箱３とから形成してあるロール式横引き網戸が開示されている。
【０００４】
また、他の横引き網戸の例として、特許文献２には、図９に示されるように、ポリエステル製メッシュ状網１を巻回してなる巻取軸１３を収納してなる収納ケース２Ｌを、上、下端の蓋ブラケット４、３において上下枠レール３２ａ、３３ａ内に横引することで網１を拡開張設するものであって、上記収納ケース２Ｌに内設された収納ケース移動停止安全機構により、収納ケースを摺動、静止固定自在とするものであるので、駆動ハンドル２１を回動したままレバーの枠レールに対する狭持係合と解くことで、上記レバーが瞬時に上下ガイドレールを再び狭持し、簡易且つ確実に収納ケースが引き戻されない程に強固に静止固定して網が拡開調節されたままとなる縦型ロール網戸が開示されている。
【特許文献１】特開平８−３０３１５８号公報
【特許文献２】特開２００１−２０７７５５号公報
【発明の開示】
【発明が解決しようとする課題】
【０００５】
しかし、横引き網戸は、巻き取り軸に網材を巻き取ったり、巻き取り軸から網材を巻き出したりして、網戸を開閉するものであり、巻き取り軸には、網材を取り付けるための取り付け部が存在している。この取り付け部は、通常、巻き取り軸の長手方向全長に亘って、軸外周面の内側、又は外側に凹部や凸部の形状に形成されている。よって、取り付け部は、巻き取り軸における他の部分に比べて、高重量となり、巻き取り軸の横断面図における重心は、取り付け部の方にずれていて、巻き取り軸の軸心と一致していない。
【０００６】
従って、網材を巻き取ったり巻き出したりして、巻き取り軸が回転した場合、巻き取り軸に遠心力が働くが、上記のように重心と軸心とが一致していないので、遠心力が均一に働かないで、重心方向に大きく働いて、巻き取り軸は重心方向に振れてしまう。そして、網材の巻き取り時および巻き出し時において、巻き取り軸が振動したり、かかる振動に伴う巻き取り軸と収納枠との接触によるバタツキ音が発生したりするという問題があった。さらに、かかる振動により、網が損傷し、あるいは、網が均一に巻き取れない等の不都合が生じる場合もあるという問題もあった。
【０００７】
しかし、上記した特許文献１、特許文献２のロール網戸は、網材を巻き取る巻き取り軸について、巻き取り軸の振れを防止するものではなく、上記した巻き取り軸の振れ伴う軸の振動、バタツキ音等の問題を解決することはできない。
【０００８】
そこで、本発明は、巻き取り軸における、網材を取り付けるための取り付け部が存在することで、巻き取り軸の横断面における重心と、巻き取り軸の軸心が一致しないことによって発生する、巻き取り軸が回転する際の、巻き取り軸が重心方向に振れるという問題を解消することによって、網の巻き取り時および巻き出し時における巻き取り軸の振動およびそれに伴う収納枠との接触によるバタツキ音の解消を可能とする横引き網戸を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、少なくとも、上枠（２０ａ）、下枠（２０ｂ）、及び収納枠（６０）を備えた枠組みと、上下両端が前記上枠（２０ａ）及び下枠（２０ｂ）内に配置されたガイド（２２ａ、２２ｂ）に沿って左右に移動可能に構成された縦框（４０）と、前記収納枠内（６０）に回転自在に設けられた巻き取り軸（６２）と、横方向一端側が前記縦框（４０）に取り付けられるとともに他端側が前記巻き取り軸（６２）の取り付け部（６６）に固定された網材（５０）と、を備え、前記網材（５０）は、弾性部材（６３）により前記巻き取り軸（６２）に巻き取られるように構成された横引き網戸であって、前記巻き取り軸（６２）は、前記取り付け部（６６）に対応するカウンターバランス部（６８）を備えることを特徴とする横引き網戸（１００）であり、かかる発明を提供して、前記課題を解決する。
【発明の効果】
【００１１】
本発明の横引き網戸によれば、巻き取り軸上にカウンターバランス部を設けることにより、網材の巻き取り時および巻き出し時に巻き取り軸が回転するときに、巻き取り軸の振動およびそれに伴う収納枠との接触によるバタツキ音を防止することができる。
【発明を実施するための最良の形態】
【００１２】
以下本発明を図面に示す実施形態に基づき説明する。
【００１３】
図１に、本発明の横引き網戸１００の斜視図を示す。本発明の横引き網戸１００は、上枠２０ａ、下枠２０ｂ、及び戸当たり枠１０、並びに収納枠６０からなる矩形の枠組みと、上下両端が前記上枠２０ａ及び下枠２０ｂ内に配置されたガイド２２ａ、２２ｂに沿って左右に移動可能に構成された縦框４０と、矩形の横方向一端側が縦框４０に取り付けられるとともに、他端側が収納枠６０内にある不図示の巻き取り軸６２の取り付け部６６に固定された網材５０とを備えた横引き網戸である。
【００１４】
矩形の枠組みは、本発明の横引き網戸１００を取り付ける勝手口または窓等のサッシの大きさに合わせた幅及び高さを有し、上枠２０ａ、下枠２０ｂ、及び戸当たり枠１０、並び-に収納枠６０から構成される。上枠２０ａおよび下枠２０ｂは、縦框４０を左右に移動可能なように縦框４０の上端部および下端部を保持するガイド２２ａ、２２ｂを有している。戸当たり枠１０は、縦框４０と密着する側に、磁石、メカニカルファスナー等の縦框４０との係止手段４６ａ（不図示）が設けられている。収納枠６０は、網材５０を巻き取る不図示の巻き取り軸６２等を内部に有し、網戸の枠の一部であるとともに、巻き取り軸６２のケースとしての役割をも有する。収納枠６０は、網材５０のメンテナンスのため、収納枠本体および収納枠カバーにより構成され、開閉可能にすることもできる。
【００１５】
上枠２０ａ、及び下枠２０ｂ内には、それぞれ見付け方向に延設されたガイド２２ａ、２２ｂが収容されている。縦框４０には、左右の一方の側部に設けられた取り付け部４１（図３参照）が設けられている。そしてこの取りつけ部４１に、網材５０が取り付けられている。また、網材５０の収納枠６０側の側端部は、収納枠６０内の巻き取り軸６２における取り付け部６６に固定されている。縦框４０は、その上下に設けられた框端部材４４ａ、４４ｂを介して、上枠２０ａおよび下枠２０ｂに、ガイド２２ａ、２２ｂに沿って左右に移動可能なように保持されている。縦框４０を左右に移動して、網材５０を収納枠６０内の巻き取り軸６２から巻き出したり、巻き取ったりすることにより、横引き網戸１００を開閉することができる。縦框４０の正面側には、縦框４０を左右に移動する際に手を掛ける、引き手４２が設けられている。また、縦框４０における戸当たり枠１０と密着する面には、戸当たり枠１０との係止手段４６が設けられている。上記した戸当たり枠１０の係止手段４６ａと、縦框４０の係止手段４６とが協働して、縦框４０と戸当たり枠１０との密着を保持することができる。
【００１６】
図２に、図１におけるＡ−Ａ線に沿って切断した本発明の横引き網戸１００の縦断面図を示す。網材５０は、蚊、ハエ等の害虫が室内側に侵入できないような細かい網目を有する防虫網等により構成され、上下左右の端部にはバンクテープが縫い付けられている。網材５０の上端部はインナーレール２４ａに保持され、下端部はインナーレール２４ｂに保持されている。
【００１７】
縦框４０の上端および下端には、上枠２０ａ、下枠２０ｂに取り付けるための框端部材４４ａ、４４ｂが設けられている。上記したように、縦框４０の上端部は、框端部材４４ａを介して上枠２０ａに、左右移動自在に取り付けられ、また、縦框４０の下端部は、框端部材４４ｂを介して下枠２０ｂに、左右移動自在に取り付けられている。上枠２０ａには、互いに上枠２０ａの内側に対向するように突出したガイド２２ａが設けられ、かかるガイド２２ａが、框端部材４４ａの側面に設けられた案内溝４５ａに挿入され、縦框４０の脱落を防止している。また、下枠２０ｂには、互いに下枠２０ｂの内側に対向するように突出したガイド２２ｂが設けられ、かかるガイド２２ｂが、框端部材４４ｂの側面に設けられた案内溝４５ｂに挿入され、縦框４０の脱落を防止している。これにより、縦框４０は、斜めになったり、枠から脱落したりせずに、垂直な姿勢を保ったまま左右に移動することが可能となる。
【００１８】
網材５０は、その上端部がインナーレール２４ａの案内溝２５ａに挿入され、その下端部が、インナーレール２４ｂの案内溝２５ｂに挿入された状態において、縦框４０の移動に伴って、左右に移動する。
【００１９】
図３に、図１におけるＢ−Ｂ線に沿って切断した本発明の横引き網戸１００の横断面図を示す。図３においては、縦框４０が収納枠６０側に引き寄せられた状態、すなわち網戸１００が開かれた状体と、縦框４０が戸当たり枠１０に密着している状態、すなわち網戸１００が閉鎖された状態とを同時に表している。なお、図３において、図２と同一部材が表されているときは、図２における場合と同一の参照符号を付してその説明を省略する場合がある。以下の図面においても同様である。網材５０における横方向一端側は、縦框４０における取り付け部４１に固定され、網材５０における横方向他端側は、巻き取り軸６２における取り付け部６６に固定されている。縦框４０が収納枠６０側から戸当たり枠１０側へ移動するに当たり、網材５０は収納枠６０内の巻き取り軸６２から巻き出されてゆき、縦框４０が戸当たり枠１０に密着したところで、全ての網材５０は巻き取り軸６２から巻き出され、網戸１００が閉まった状態となる。この場合、縦框４０と戸当たり枠１０は、係止手段４６、４６ａにより密着状態が保たれている。なお、本実施形態における係止手段は、戸当たり枠１０、縦框４０それぞれに取り付けられた永久磁石により構成されている。
【００２０】
図４に、収納枠６０内に存在する巻き取り軸６２の拡大図を示す。巻き取り軸６２は、収納枠６０内の上下端部に回転自在に取り付けられている。巻き取り軸６２内の軸心位置には芯棒６４が存在し、芯棒の両端または一端は収納枠６０の内側端部に固定されている。芯棒６４は、巻き取り軸６２の全長に亘って存在し、芯棒６４の上端および下端は収納枠６０の上下端部に固定されていてもよい。または、図４に示されているように、巻き取り軸の上部のみに存在し、芯棒６４の上端と収納枠６０の上端面とが固定されていてもよい。この場合、芯棒６４の下端の近傍に、その外周面が巻き取り軸６２の内周面に当接するように形成された円筒形の接合部６５を設けて、接合部６５を介して芯棒６４が巻き取り軸６２の軸心位置で固定される。接合部６５は、芯棒６４に不図示の軸受けを介して回転自在に取り付けられ、巻き取り軸６２の内径と一致する外径を有し、巻き取り軸６２の内側に密着して固定されている。弾性部材６３は、巻き取り軸６２を、網材５０を巻き取る方向に、常に力を加えるために用いられるものであり、例えば、コイルスプリングを用いることができる。かかる弾性部材６３の一端６３ａは、ネジ等により芯棒６４に固定されており、弾性部材６３の他端６３ｂは、接合部６５を介して巻き取り軸６２に内側から固定されている。
【００２１】
図５に、巻き取り軸６２の横断面図を示す。（ａ）は、取り付け部６６を設けた巻き取り軸６２の横断面図における、重心７４および軸心７２を示した図である。図示した巻き取り軸６２においては、凹部形状の取り付け部６６が巻き取り軸６２の長手方向全長に亘って設けられている。巻き取り軸６２の内側から見ると、取り付け部６６の部分は内側に盛り上がっており、他の部分に比べて、巻き取り軸６２の材料が余分に使用されている。このように、巻き取り軸６２の長さ方向全長に亘って、例えば凹部形状の取り付け部６６を設けることにより、取り付け部位置における巻き取り軸６２の重量が、他の部分の重量よりも相対的に重くなる。よって、巻き取り軸６２の断面における重心位置７４が取り付け部６６方向にずれるので、この重心位置７４が巻き取り軸６２の軸芯７２と一致しないようになる。この状態において、網材５０を巻き取ったり、巻き出したりして、巻き取り軸６２が回転する場合、巻き取り軸６２に遠心力が働くが、重心７４と軸心７２とがずれているため、遠心力が均一に働かないで、取り付け部６６方向に大きく働き、巻き取り軸６２が、取り付け部６６方向に振れてしまう。これにより、網材５０の巻き取り時および巻き出し時において、巻き取り軸６２が振動し、かかる振動に伴って巻き取り軸６２と収納枠６０とが接触してバタツキ音が発生する。
【００２２】
一方、図５（ｂ）は、取り付け部６６を設けた巻き取り軸６２の横断面図であって、取り付け部６６に対するカウンターバランス部６８として、鉛等の密度の高い材料を設けた態様を示す図である。ここで、もとの巻き取り軸の形状を円筒形であると仮定した場合、取り付け部６６において、余分に加算された部分を、加算部分６６ａとし、削除された部分を削除部分６６ｂとする。
【００２３】
カウンターバランス部６８の重量（Ｗ３）は、下記の式
Ｗ１×Ｌ１−Ｗ２×Ｌ２＝Ｗ３×Ｌ３
（加算部分６６ａの重量（Ｗ１）、軸心から加算部分６６ａまでの距離（Ｌ１）、削除部分６６ｂの重量（Ｗ２）、軸心から削除部分６６ｂまでの距離（Ｌ２）、カウンターバランス部６８の重量（Ｗ３）、軸心からカウンターバランス部６８までの距離（Ｌ３））が成立するように算出して求めることができる。また、鉛等の材料は、巻き取り軸６２の全長に貼り付けてもよいし、巻き取り軸６２の中央部分にまとめて貼り付けてもよい。
【００２４】
図５（ｃ）は、取り付け部６６を設けた巻き取り軸６２の横断面図であって、カウンターバランス部６８として、巻き取り軸６２の厚さ自体を厚くして形成した態様を示す図である。巻き取り軸６２をどの程度厚くして、カウンターバランス部６８とするかは、上記の式１に基づいて算出することができる。
【００２５】
図５（ｄ）は、取り付け部６６を設けた巻き取り軸６２の横断面図であって、カウンターバランス部として、同一形状の取り付け部６８を取りつけ部６８の回転対称の位置に設けた態様を示す図である。二つの取り付け部６６、６８は、軸心を通る対向した位置に設けられることにより、重心と軸心とを一致させることができる。
【００２６】
かくして、本発明における横引き網戸１００において、巻き取り軸６２上に取り付け部６６に対応してカウンターバランス部６８を設けることにより、巻き取り軸６２の横断面における重心位置を軸芯位置と一致させることができ、これにより、巻き取り軸６２が振れるのを防止して、網材５０の巻き取り時および巻き出し時における巻き取り軸６２の振動、およびかかる振動に伴う巻き取り軸６２と収納枠６０との接触によるバタツキ音を防止することができる。
【００２７】
本発明の横引き網戸１００において使用する上枠２０ａ、下枠２０ｂ、戸当たり枠１０、収納枠６０、縦框４０は、アルミ、樹脂等の軽い材料を押出しや射出成形により形成することが取り扱いやコストの点で好ましい。巻き取り軸６２は、アルミ等の強度の大きく軽い材料を押出し加工により形成することが好ましい。芯棒６４は、鉄、アルミ等の強度が高い金属材料により構成することが好ましい。カウンターバランス部６８としては、鉛等の密度の大きい材料を貼り付けて用いたり、巻き取り軸６２と同一の材料にて構成したりすることもできる。
【００２８】
本発明の横引き網戸１００について、網戸が開いた状態から閉じた状態への動作を以下に説明する。まず、網戸が開いた状態とは、縦框４０が収納枠６０側に存在している状態である。この場合において、網材５０は、巻き取り軸６２により巻き取られた状態となっている。この網戸が開いた状態においても、弾性部材６３によって巻き取り軸６２には、網材５０を巻き取る方向に力が加えられているので、自然状態においては、縦框４０は収納枠６０に密着した状態となっている。
【００２９】
縦框４０に設けた引き手４２に手を掛けて、弾性部材６３による網材５０を巻き取る力に坑して、縦框４０を戸当たり枠１０の方向に引き寄せることで、網戸を閉めることができる。この場合、縦框４０は、上枠２０ａおよび下枠２０ｂ内に配置されたガイド２２ａ、２２ｂに沿って、戸当たり枠１０の方向に移動する。また、縦框４０の移動に伴って、巻き取り軸６２に巻き取られていた網材５０が弾性部材６３の付勢に坑して巻き出されてゆく。この場合、網材５０が巻き出されるに従い、巻き取り軸６２は回転するが、巻き取り軸６２内部の芯棒６４は収納枠６０に固定されていて回転しない。よって、芯棒６４と巻き取り軸６２の間にある弾性部材６３が自然状態から次第にねじられていくので、網材５０を巻き出すに従い、弾性部材６３により網材５０を巻き取る方向に、さらに力が加わっていく。
【００３０】
縦框４０が戸当たり枠１０に当接されると、これらに設けられた磁石、等の係止手段により、縦框４０と戸当たり枠１０は係止密着される。かくして網戸１００が閉まった状態となる。この時、巻き取り軸６２に巻き取られていた網材５０は、全て巻き出され、網材５０は、横方向一端側が縦框４０に保持され、横方向他端側が弾性部材６３の付勢を受ける巻き取り軸６２に保持されるので、網材５０の横方向が緊張状態に保たれる。また、網材５０の上端および下端は、インナーレール２４ａ、２４ｂ内に保持されるので、網材５０の縦方向が緊張状態に保たれる。これにより、風が吹いたりして網材５０に見込み方向の圧力がかかっても、網材５０が歪んだりしないで、平坦な面を保つことができる。
【００３１】
さらに、戸当たり枠１０に密着している縦框４０を、係止手段を外して戸当たり枠１０から離すと、その後は、なんの力を加えなくても、あるいはごく軽い力で、弾性部材６３に蓄積された弾性力により、網材５０が巻き取り軸６２に巻き取られ、それに伴い網材５０の横方向一端側が取り付けられた縦框４０が収納枠６０側に移動し、網戸が開いた状態となる。
【００３２】
次に、本発明の横引き網戸１００の組み立て順序の一例について説明する。まず、網材５０の上下左右の端部に、バンクテープを縫い付ける。そして、網材５０の横方向一端側を巻き取り軸６２の取り付け部６６に挿入し、固定する。そして、弾性部材６３の一端６３ａを芯棒６４に固定し、これを巻き取り軸６２内に挿入して、弾性部材６３の他端６３ｂを、接合部６５を介して巻き取り軸６２に固定する。そして、巻き取り軸６２を、収納枠６０内において、巻き取り軸６２の上下端部を、収納枠６０内側の上下端部に回転自在に取り付ける。芯棒６４の上下端部は、収納枠６０の内側の上下端部に固定する。網材５０の横方向他端側は、縦框４０の取り付け部４１に挿入して固定する。
【００３３】
上枠２０ａおよび下枠２０ｂに、インナーレール２４ａおよび２４ｂを挿入して、框４０はガイド２２ａ、２２ｂに沿って、上枠２０ａおよび下枠２０ｂに取り付ける。そして、上枠２０ａ、下枠２０ｂ及び戸当たり枠１０並びに収納枠６０を組み立てて、全体の枠を形成する。最後に、網戸を開いた状態において、不図示のギアセットにより網材５０を巻き取る方向に力が加えられるように、芯棒６４を回転して、弾性部材６３にテンションを与えて、本発明の横引き網戸１００が完成される。
【００３４】
次に、本発明の横引き網戸１００を、勝手口ドアに取り付けた適用例を、図６の水平断面図、及び図７の垂直断面図を参照しつつ説明する。これら各図において、図面右側が室内、左側が室外方向を示している。
【００３５】
勝手口ドア２００は、建物開口部に設けられた、縦枠２０１、２０２、並びに上枠２０３、及び下枠２０４からなる四辺の枠体内に、蝶番３００を介して室外側に開放可能に取り付けられている。なお図６、及び図７は、勝手口ドア２００が閉鎖されている状態を示すものである。勝手口ドア２００では、左右の縦框２１１、２１２、及び上下の枠２１３、２１４が障子の四辺の枠体を構成している。さらに、障子には上下２箇所に複層ガラスパネル２３０、２４０が嵌め込まれ、室内外側それぞれに、ドア開閉のための取っ手２２０ａ、２２０ｂが取り付けられている。横引き網戸１００の、四辺の上枠２０ａ、下枠２０ｂ、及び戸当たり枠１０、並び-に収納枠６０の室外側の面には、例えば両面テープ等、接合部材が配設され、これら接合部材が、上記縦枠２０１、２０２、並びに上枠２０３、及び下枠２０４からなる四辺の枠体の、室内側面に接着されることによって、横引き網戸１００が、勝手口ドア２００が設けられた建物開口部に取り付けられている。
【００３６】
室内側の取っ手２２０ａは室内方項に向かって大きく突出して設けられているため、勝手口ドア２００の閉鎖状態においては、横引き網戸１００を閉鎖した時に、取っ手２２０ａと網材５０とが位置的に干渉している。したがって、勝手口ドア２００が開放状態にあるときに、横引き網戸１００は有効に機能する。
【００３７】
なお、上記実施形態では、図８（ａ）に示されるように、戸当たり枠１０、上枠２０ａ、下枠２０ｂ、及び収納枠６０により四辺の枠体を構成し、上枠２０ａ、及び下枠２０ｂの間を縦框４０が左右に摺動する構造を有する横引き網戸１００を示したが、例えば図８（ｂ）に示されるように、戸当たり枠がなく、上枠３２０ａ、下枠３２０ｂ、及び収納枠３６０により「コ」の字型の枠体を構成し、上枠３２０ａ、及び下枠３２０ｂの間を縦框３４０が左右に摺動する構造を有する横引き網戸３００として構成することもできる。
【００３８】
さらに、図８（ｃ）に示すように、左右の収納枠４６０ａ、４６０ｂ内にそれぞれ巻き取り軸を配置し、上枠４２０ａ、及び下枠４２０ｂの間を縦框４４０ａ、４４０ｂを中央側に引き寄せるようにして網戸を閉鎖する構造の横引き網戸４００として構成することもできる。
【図面の簡単な説明】
【００３９】
【図１】本発明の横引き網戸を示す斜視図である。
【図２】図１におけるＡ−Ａ線に沿って切断した、本発明の横引き網戸を示す縦断面図である。
【図３】図１におけるＢ−Ｂ線に沿って切断した。本発明の横引き網戸を示す横断面図である。
【図４】巻き取り軸の拡大図である。
【図５】（ａ）は、巻き取り軸の横断面図における、重心および軸心を示した図であり、（ｂ）は、鉛等をカウンターバランス部として添付した態様を示す図であり、（ｃ）は、カウンターバランス部として、巻き取り軸の厚さを厚くした態様を示す図であり、（ｄ）は、カウンターバランス部として、取り付け部と同一形状のものを設けた態様を示す図である。
【図６】本発明の横引き網戸を勝手口に取り付けた場合の、横断面図である。
【図７】本発明の横引き網戸を勝手口に取り付けた場合の、縦断面図である。
【図８】横引き網戸の各種実施形態を示す概略図である。
【図９】（ａ）および（ｂ）は、特許文献１におけるロール式横引き網戸を示す図である。
【図１０】特許文献２における縦型ロール網戸を示す図である。
【符号の説明】
【００４０】
１００  横引き網戸
１０  戸当たり枠
２０ａ  上枠
２０ｂ  下枠
２２ａ、２２ｂ  ガイド
２４ａ、２４ｂ  インナーレール
２５ａ、２５ｂ  案内溝
４０  縦框
４１  取り付け部
４２  引き手
４４ａ、４４ｂ  框端部材
４５ａ、４５ｂ  案内溝
５０  網材
６０  収納枠
６２  巻き取り軸
６３  弾性部材
６４  芯棒
６５  接合部
６６  取り付け部
６６ａ  加算部分
６６ｂ  削除部分
６８  カウンターバランス部
【図１】
2005213911.tif 000003
【図２】
2005213911.tif 000004
【図３】
2005213911.tif 000005
【図４】
2005213911.tif 000006
【図５】
2005213911.tif 000007
【図６】
2005213911.tif 000008
【図７】
2005213911.tif 000009
【図８】
2005213911.tif 000010
【図９】
2005213911.tif 000011
【図１０】
2005213911.tif 000012